(57)【特許請求の範囲】
【請求項１】
平面形状がほぼ略Ｌ字状の天板と、該天板の長辺側の両縁部から、それぞれ下方に延在する外側壁及び内側壁と、前記天板の短辺側の両縁部から、それぞれ下方に延在する一方の短辺側側壁及びもう一方の短辺側側壁とを有し、且つ、下方が開放されたほぼ箱型のコンテナー用嵩上げ部材であって、該コンテナー用嵩上げ部材のコーナー部から前記一方の短辺側側壁までに位置する前記内側壁のほぼ下半分を切除することにより、前記内側壁の残余の部分に、内側ガイド部が形成されているとともに、下半分が切除された前記内側壁の前記もう一方の短辺側側壁側には、下方に延在する係止片が形成されており、また、前記外側壁の内面には、前記コーナー部を挟んで、ほぼ対称位置に、水平状の規制板が突設されており、前記コンテナー用嵩上げ部材がコンテナーに取り付けられた際には、前記短辺側側壁の下端が、前記コンテナーのフランジの上面に当接されており、また、前記内側ガイド部と前記外側壁との間及び前記係止片と前記外側壁との間に、前記コンテナーの前記フランジ及び側壁が配置され、更に、前記規制板が、前記コンテナーのフランジの下面に当接或いは近接して位置するように構成されていることを特徴とするコンテナー用嵩上げ部材。
【請求項２】
前記内側ガイド部と前記外側壁との間隙に、前記コンテナーのフランジの長側壁側の端部を挿入した際に、前記内側ガイド部側に位置する前記規制板が、前記フランジから外れた位置に配置されるように構成したことを特徴とする請求項１に記載のコンテナー用嵩上げ部材。
【発明の詳細な説明】
【０００１】
【発明の属する技術分野】
本発明は、上方に開口を有するコンテナーに取り外し自在に取り付けて、コンテナーを嵩上げするためのコンテナー用嵩上げ部材に関するものである。
【０００２】
【従来の技術】
従来、コンテナー用嵩上げ部材を、コンテナーの上方から下降させて、嵩上げ部材の係止片に形成された爪を、コンテナーの側壁等に形成された透孔に引っ掛けることにより、コンテナーに、嵩上げ部材を取り付けるようにしたコンテナー用嵩上げ部材が知られている（例えば、実公昭５９−３８３５３号公報、実公平１−３８０３６号公報等）。
【０００３】
【発明が解決しようとする課題】
上述した従来のコンテナー用嵩上げ部材は、コンテナーから嵩上げ部材を取り外す際には、嵩上げ部材の係止片に形成された爪を、側壁等に形成された透孔から離脱させた後に、嵩上げ部材を上方に持ち上げなければならず、嵩上げ部材の取り外しが困難であるとともに、係止片が破損しやすいという問題があった。
【０００４】
本発明の目的は、上述した従来のコンテナー用嵩上げ部材が有する課題を解決することにある。
【０００５】
【課題を解決するための手段】
本発明は、上述した目的を達成するために、第１には、平面形状がほぼ略Ｌ字状の天板と、該天板の長辺側の両縁部から、それぞれ下方に延在する外側壁及び内側壁と、前記天板の短辺側の両縁部から、それぞれ下方に延在する一方の短辺側側壁及びもう一方の短辺側側壁とを有し、且つ、下方が開放されたほぼ箱型のコンテナー用嵩上げ部材であって、該コンテナー用嵩上げ部材のコーナー部から前記一方の短辺側側壁までに位置する前記内側壁のほぼ下半分を切除することにより、前記内側壁の残余の部分に、内側ガイド部が形成されているとともに、下半分が切除された前記内側壁の前記もう一方の短辺側側壁側には、下方に延在する係止片が形成されており、また、前記外側壁の内面には、前記コーナー部を挟んで、ほぼ対称位置に、水平状の規制板が突設されており、前記コンテナー用嵩上げ部材がコンテナーに取り付けられた際には、前記短辺側側壁の下端が、前記コンテナーのフランジの上面に当接されており、また、前記内側ガイド部と前記外側壁との間及び前記係止片と前記外側壁との間に、前記コンテナーの前記フランジ及び側壁が配置され、更に、前記規制板が、前記コンテナーのフランジの下面に当接或いは近接して位置するように構成したものであり、第２には、前記内側ガイド部と前記外側壁との間隙に、前記コンテナーのフランジの長側壁側の端部を挿入した際に、前記内側ガイド部側に位置する前記規制板が、前記フランジから外れた位置に配置されるように構成したものである。
【０００６】
【実施例】
以下に、本発明の実施例について説明するが、本発明の趣旨を越えない限り何ら、本実施例に限定されるものではない。
【０００７】
コンテナー用嵩上げ部材（以下、単に、嵩上げ部材ともいう。）Ｈは、平面形状がほぼＬ字状の天板１と、天板１の長辺側の縁部から下方に延在する、同じ高さに形成された外側壁２と内側壁３とを有するとともに、天板１の短辺側の縁部から下方に延在する短辺側側壁４、５とを有し、下方が開放されたほぼ箱型に形成されている。
【０００８】
内側壁３は、嵩上げ部材Ｈのコーナー部ｈ１から、一方の短辺側側壁５まで、ほぼ下半分が切除されており、残余の部分により、内側ガイド部３ａが形成されている。また、下半分が切除された内側壁３の短辺側側壁５側には、下方に延在する係止片３ｂが形成されている。６及び７は、それぞれ、外側壁２の内面に、コーナー部ｈ１を挟んで、ほぼ対称位置に水平状に突設された規制板である。規制板６、７の上面６ａ、７ａは、短辺側側壁４、５の下端４ａ、５ａより、下方に位置するとともに、規制板６、７の上面６ａ、７ａと短辺側側壁４、５の下端４ａ、５ａとの間隔は、後述するコンテナーのフランジの厚さより、若干、大きく形成されている。なお、規制板６、７の上方の空間部８、９は、嵩上げ部材Ｈを、射出成形等により、合成樹脂で一体成形する際の金型の抜きのために形成されたものであり、本発明の必須の構成をなすものではない。
【０００９】
本発明の嵩上げ部材Ｈが取り付けられる一例としてのコンテナーＣは、図４に示されているように、底部ｃ１と、相対する長側壁ｃ２と、相対する短側壁ｃ３とを有しており、長側壁ｃ２と短側壁ｃ３の上端には、外側に水平状に延在するフランジｃ４が、コンテナーＣの開口部を囲むように形成されている。ｃ５は、長側壁ｃ２側に位置するフランジｃ４の各コーナー部ｃ４’付近に形成された切り欠き部である。切り欠き部ｃ５は、嵩上げ部材Ｈの規制板６、７が通過可能な大きさに形成されている。また、上述したように、規制板６、７の上面６ａ、７ａと短辺側側壁４、５の下端４ａ、５ａとの間隔は、コンテナーＣのフランジｃ４の厚さｔ１より、若干、大きく形成されている。また、コンテナーＣのフランジｃ４の幅ｗ１は、外側壁２と内側壁３の内側ガイド部３ａとの間隙ｗ２及び外側壁２と係止片３ｂとの間隙ｗ３より、若干、狭く形成されている。なお、長側壁ｃ２側に位置するフランジｃ４の幅ｗ１と、短側壁ｃ３側に位置するフランジｃ４の幅ｗ１とが異なる場合には、外側壁２と内側壁３の内側ガイド部３ａとの間隙ｗ２及び外側壁２と係止片３ｂとの間隙ｗ３は、それぞれのフランジ幅に対応して、異なる間隙幅に形成されるが、長側壁ｃ２側に位置するフランジｃ４の幅ｗ１と、短側壁ｃ３側に位置するフランジｃ４の幅ｗ１とが同じ場合には、外側壁２と内側壁３の内側ガイド部３ａとの間隙ｗ２及び外側壁２と係止片３ｂとの間隙ｗ３は、同じ間隙幅に形成される。
【００１０】
次に、主として、図２及び図３を用いて、コンテナーＣへの嵩上げ部材Ｈの取り付けについて説明する。
【００１１】
先ず最初に、図２に示されているように、嵩上げ部材Ｈの内側ガイド部３ａ側の外側壁２に形成された規制板６が、コンテナーＣのフランジｃ４のコーナー部ｃ４’付近に形成された切り欠き部ｃ５の上方に位置するように、嵩上げ部材Ｈを配置する。次いで、嵩上げ部材Ｈを下降させて、嵩上げ部材Ｈの内側ガイド部３ａと外側壁２との間隙に、コンテナーＣのフランジｃ４を挿入するとともに、更に、嵩上げ部材Ｈを下降させて、規制板６を、フランジｃ４の切り欠き部ｃ５に挿入し、内側ガイド部３ａ側に位置する短辺側側壁４の下端４ａを、フランジｃ４の上面に当接させる。この段階で、嵩上げ部材Ｈの内側ガイド部３ａは、コンテナーＣの側壁（図２における、長側壁ｃ２）の内面に当接或いは近接するとともに、コンテナーＣ内に位置するように構成されており、且つ、嵩上げ部材Ｈの係止片３ｂやもう一方の規制板７は、フランジｃ４の外側に位置している。この状態から、嵩上げ部材Ｈの内側ガイド部３ａ側に位置する下端４ａが、フランジｃ４の上面に沿ってスライドするように、嵩上げ部材Ｈを、長側壁ｃ２の中央部方向にスライドさせると、嵩上げ部材Ｈの内側ガイド部３ａ側の規制板６が、長側壁ｃ２側のフランジｃ４の下面に当接或いは近接するとともに、係止片３ｂ側に位置する規制板７が、短側壁ｃ３側に位置するフランジｃ４の下面に当接或いは近接し、且つ、係止片３ｂが、短側壁ｃ３側に位置するフランジｃ４の上面をスライドしながら、フランジｃ４を越えた時点で下降し、係止片３ｂが、コンテナーＣの短側壁ｃ３の内面と係合するとともに、係止片３ｂが、コンテナーＣの短側壁ｃ３の内面と係合した時点では、係止片３ｂと相対する外側壁２の内面が、フランジｃ４の先端ｃ４”に当接或いは接近するように構成されている。
【００１２】
上述したようにして、嵩上げ部材Ｈを、図５に示されているように、コンテナーＣの各コーナー部に取り付ける。嵩上げ部材Ｈを、コンテナーＣから取り外すには、係止片３ｂが位置する嵩上げ部材Ｈの上部を持ち上げるか、或いは、外側に移動させることにより、係止片３ｂとフランジｃ４の先端ｃ４”との係合状態を解除する。次いで、上述したスライド方向と反対側、即ち、コンテナーＣから遠ざかる方向に、嵩上げ部材Ｈをほぼ水平移動させて、嵩上げ部材Ｈの内側ガイド部３ａ側の外側壁２に形成された規制板６を、コンテナーＣのフランジｃ４に形成された切り欠き部ｃ５の下方に位置するようにするとともに、係止片３ｂ側に位置する規制板７を、短側壁ｃ３側に位置するフランジｃ４の下面から外す。この状態で、嵩上げ部材Ｈを、上方に持ち上げることにより、コンテナーＣから取り外す。
【００１３】
次に、図６〜図８を用いて、本発明の別の実施例について説明する。
【００１４】
この実施例は、嵩上げ部材Ｈの内側ガイド部３ａの短辺側側壁４からの長さＬ１を短くし、図７に示されているように、嵩上げ部材Ｈの内側ガイド部３ａと外側壁２との間隙に、コンテナーＣのフランジｃ４の長側壁ｃ２側の端部を挿入した際に、内側ガイド部３ａ側に位置する規制板６が、フランジｃ４から外れた位置に配置されるように構成されている。このように構成することにより、コンテナーＣのフランジｃ４に切り欠き部ｃ５を形成する必要がなく、どのようなコンテナーＣにも、嵩上げ部材Ｈを取り付けることができる。なお、嵩上げ部材Ｈの他の構成については、上述した実施例と同じであるので、詳細な説明は省略する。
【００１５】
嵩上げ部材Ｈを、コンテナーＣに取り付ける場合には、図７に示されている状態から、上述した実施例と同様に、嵩上げ部材Ｈの内側ガイド部３ａ側に位置する下端４ａが、フランジｃ４の上面に沿ってスライドするように、嵩上げ部材Ｈを、長側壁ｃ２の中央部方向にスライドさせると、嵩上げ部材Ｈの内側ガイド部３ａ側の規制板６が、長側壁ｃ２側のフランジｃ４の下面に当接或いは近接するとともに、係止片３ｂ側に位置する規制板７が、短側壁ｃ３側に位置するフランジｃ４の下面に当接或いは近接し、且つ、係止片３ｂが、短側壁ｃ３側に位置するフランジｃ４の上面をスライドしながら、フランジｃ４を越えた時点で下降し、図８に示されているように、係止片３ｂが、コンテナーＣの短側壁ｃ３の内面と係合する。なお、嵩上げ部材ＨのコンテナーＣからの取り外し方法は、上記の順序と逆であり、上述した実施例とほぼ同様であるので省略する。
【００１６】
本発明は、上述したように構成されているので、嵩上げ部材Ｈを、コンテナーＣに対して、横方向に移動させるだけで、簡単に、コンテナーＣから取り外すことができる。
【００１７】
また、嵩上げ部材Ｈの内側ガイド部３ａの短辺側側壁４からの長さＬ１を短くし、図７に示されているように、嵩上げ部材Ｈの内側ガイド部３ａと外側壁２との間隙に、コンテナーＣのフランジｃ４の長側壁ｃ２側の端部を挿入した際に、内側ガイド部３ａ側に位置する規制板６が、フランジｃ４から外れた位置に配置されるように構成することにより、コンテナーＣのフランジｃ４に切り欠き部ｃ５を形成する必要がなく、どのようなコンテナーＣにも、嵩上げ部材Ｈを取り付けることができる。
【００１８】
【発明の効果】
本発明は、以上説明した構成を有しているので、以下に記載する効果を奏するものである。
【００１９】
嵩上げ部材を、コンテナーに対して、横方向に移動させるだけで、簡単に、コンテナーから取り外すことができる。
【００２０】
内側ガイド部と外側壁との間隙に、コンテナーのフランジの長側壁側の端部を挿入した際に、内側ガイド部側に位置する規制板が、フランジから外れた位置に配置されるように構成したので、コンテナーのフランジに切り欠き部を形成する必要がなく、どのようなコンテナーにも、嵩上げ部材を取り付けることができる。
【図面の簡単な説明】
【図１】図１は本発明のコンテナー用嵩上げ部材の斜視図である。
【図２】図２は本発明のコンテナー用嵩上げ部材の全体及びコンテナーの要部の斜視図である。
【図３】図３は同じく本発明のコンテナー用嵩上げ部材の全体及びコンテナーの要部の斜視図である。
【図４】図４は本発明のコンテナー用嵩上げ部材が使用されるコンテナーの斜視図である。
【図５】図５は本発明のコンテナー用嵩上げ部材が取り付けられたコンテナーの斜視図である。
【図６】図６は本発明の別の実施例のコンテナー用嵩上げ部材の斜視図である。
【図７】図７は図６に示されているコンテナー用嵩上げ部材の全体及びコンテナーの要部の斜視図である。
【図８】図８は同じく図６に示されているコンテナー用嵩上げ部材の全体及びコンテナーの要部の斜視図である。
【符号の説明】
Ｃ・・・・・・・・コンテナー
Ｈ・・・・・・・・コンテナー用嵩上げ部材
１・・・・・・・・天板
２・・・・・・・・外側壁
３・・・・・・・・内側壁
３ａ・・・・・・・内側ガイド部
３ｂ・・・・・・・係止片
４、５・・・・・・短辺側側壁
６、７・・・・・・規制板
【図１】
0004309009.tif 000002
【図２】
0004309009.tif 000003
【図３】
0004309009.tif 000004
【図４】
0004309009.tif 000005
【図５】
0004309009.tif 000006
【図６】
0004309009.tif 000007
【図７】
0004309009.tif 000008
【図８】
0004309009.tif 000009